(57)【要約】【課題】輝度むらが少なく、画質劣化もない画像表示装置を実現する。【解決手段】第１の行方向配線にて駆動される第１の画素群（ｄ１１、ｄ３１）と、第２の行方向配線にて接続される第２の画素群（ｄ２１、ｄ４１）とが表示画面の同一直線上に配置され、第１及び第２の行方向配線に発光のために互いに異なる極性の走査選択信号が印加された時に、第１及び第２の画素群に属する表示用素子に同時に発光に必要な電圧が印加できるような、電極のパターン及び／または配線のパターンを有する。【選択図】　　　図１
2004045539.tif 000002
【特許請求の範囲】
【請求項１】
複数の行方向配線と複数の列方向配線とにより駆動される複数の画素と、を有する表示装置において
第１の行方向配線にて駆動される第１の画素群と、第２の行方向配線にて駆動される第２の画素群とが表示画面の同一直線上に配置され、
前記第１及び第２の行方向配線に発光のために互いに異なる極性の走査選択信号が印加された時に、
前記第１及び第２の画素群に属する表示用素子に同時に発光に必要な電圧が印加できるような、電極のパターン及び／または配線のパターンを有していることを特徴とする表示装置。
【請求項２】
複数の行方向配線と複数の列方向配線とにより駆動される複数の画素と、を有する表示装置において
第１の行方向配線にて駆動される第１の画素群と、第２の行方向配線にて駆動される第２の画素群と、が行方向に配列され、
前記第１及び第２の行方向配線に発光のために互いに異なる極性の走査選択信号が印加された時に、
前記第１及び第２の画素群に属する表示用素子に印加される電界の向きが同一になるような、電極のパターン及び／または配線のパターンを有していることを特徴とする表示装置。
【請求項３】
前記第１の画素群に属する前記表示用素子は、前記第１の行方向配線に接続する第１の電極と、第１の列方向配線に接続する第２の電極と、を有し、前記第２の画素群に属する前記表示用素子は、第２の列方向配線に接続する第３の電極と、前記第２の行方向配線に接続する第４の電極と、を有し、前記第１の電極と前記第３の電極は、各々接続する前記表示用素子に対して同じ側に接続し、前記第２の電極と前記第４の電極は各々接続する前記表示用素子に対して同じ側に接続し、かつ、前記第１の電極又は前記第３の電極と反対側に接続することを特徴とする請求項１又は２に記載の表示装置。
【請求項４】
第１の画素列と第２の画素列が交互に配列されていることを特徴とする請求項１〜３のいずれかに記載の表示装置。
【請求項５】
前記第１または第２の画素列がそれぞれ複数列連続配列して第１または第２の画素列群を形成し、前記第１の画素列群と第２の画素列群が交互に配列されていることを特徴とする請求項１〜３に記載の表示装置。
【請求項６】
前記画素が、一本の列方向配線に接続し同一行方向に配列した２つの表示用素子により形成され、前記２つの表示用素子は互いに鏡像の電極のパターンを有することを特徴とする請求項１〜５のいずれかに記載の表示装置。
【請求項７】
前記表示用素子が、表面伝導型電子放出素子、電界放出型電子放出素子、炭素繊維型電子放出素子のうちのいずれか一つであることを特徴とする請求項１〜６のいずれかに記載の表示装置。
【請求項８】
前記電界放出型電子放出素子が、スピント型又は炭素繊維型電子放出素子であることを特徴とする請求項７に記載の表示装置。
【発明の詳細な説明】
【０００１】
【発明の属する技術分野】
本発明は、表示装置に関する。
【０００２】
【従来の技術】
従来、電子放出素子として熱電子源と冷陰極電子源が知られている。冷陰極素子は、電界放出型電子放出素子（以下ＦＥ型素子と略す）や表面伝導型電子放出素子（以下ＳＣＥ型素子と略す）等がある。また、ＦＥ型素子にはスピント型や、炭素繊維型（ＧＮＦ、ＣＮＴ等）の電子放出素子がある。図１７に電子放出素子として、構造が単純で製造も容易なＳＣＥを用いた基本的なマトリクス回路の一部を示す。図示において、１はリアプレート、２は行方向配線（走査信号配線）ｒ１〜ｒ２、３は列方向配線（映像信号配線）ｃ１〜ｃ４、４、５は電極、６は電子放出素子ｄ１１〜ｄ４２、７は電子放出部である。行方向配線２と列方向配線３の間には不図示の絶縁層が存在する。電極４は行方向配線に、電極５は列方向配線にそれぞれ接続されている。
【０００３】
電子放出素子６は、しきい値特性を有し、電極４、５間にしきい値Ｖｔｈを超える電圧が印加されると電子放出が起こり、Ｖｔｈ以下の電圧印加では電子放出は起こらない。ただしＳＣＥ型素子は、印加電圧の極性依存性を有さないため、電極４、５どちらの電極に正、負どちらの極性の電圧が印加されても、しきい値Ｖｔｈを超える電圧が存在すれば、電子放出を行う。
【０００４】
図１８は、図１７に入力する駆動信号の入力信号波形である。点線で挟まれた期間が一行分の画像データを表示する水平走査期間（１Ｈ）である。図２０において、ｘｉはｉ列目の列方向配線に入力する映像信号であり、ｙｊはｊ行目の行方向配線に入力する走査信号である。８は映像信号データの存在する映像信号選択期間、９は走査信号データの存在する走査信号選択期間、Ｘｉは映像信号ｘｉのデータが付与された映像選択信号、Ｙｊは走査信号ｙｊのデータが付与された走査選択信号である。
【０００５】
行方向配線２に接続する電極４に負極性の信号（−Ｖ２）が、列方向配線３に接続する電極５に正極性の信号（＋Ｖ１）が入力され、電極４、５間にしきい値Ｖｔｈを超える電圧が印加されると、電子放出素子６の負極性側に印加された電子が正極性側へと移動し、その間に存在する電子放出部７から電子が放出される。
【０００６】
ここで、映像選択信号、走査選択信号としきい値の関係を、Ｖ１≦Ｖｔｈ＜Ｖ１＋Ｖ２、Ｖ２≦Ｖｔｈ＜Ｖ１＋Ｖ２とすると、ＸｉとＹｊがともに印加される電子放出素子のみが、Ｖ１＋Ｖ２の電圧を印加され、電子放出する。Ｘｉのみ、Ｙｊのみが印加される電子放出素子、あるいはＸｉ、Ｙｊがともに印加されない電子放出素子は、電子放出を行わない。
【０００７】
また、本例で用いる階調表現法はパルス幅変調を想定している。パルス幅変調とは、発光する時間（パルス幅）が長い輝点ほど明るく見える特性を利用して、Ｘｉの電圧値はＶ１固定であるが、Ｘｉが印加されている映像信号選択期間１０により当該画素の階調の調節が可能となる階調表現法である。本発明ではこれに限られず、電圧の波高値により変調する振幅変調等でも構わない。
【０００８】
本例では、１Ｈ期間に１行ずつ行方向配線が選択され、その選択された行方向配線のみにＹｊが印加される。Ｙｊが印加される選択行は、表示装置の一行目から始まり、一行ずつ下にシフトし、最終行まで到達したら再び一行目に戻りその後同様に下にシフトしていく。
【０００９】
このような線順次駆動を行うと、選択された行方向配線は一本で多数の電子放出素子を駆動するため、表示画像によっては選択された行方向配線に大電流が流れる恐れがある。行方向配線には配線抵抗が分布するため流れる電流に応じて電圧降下が発生する。大電流が流れた場合、配線抵抗による電圧降下が大きくなり、電子放出素子の印加電圧に大きなむらが生じ、表示画像の輝度むらを引き起こすという問題があった。
【００１０】
前記の輝度むら対策方法が、特開平７−３２２１８０号公報に記載されている。この方法の詳細を以下で説明する。
【００１１】
特開平７−３２２１８０号公報に記載の方法を参考に作製したＳＣＥのマトリクス回路は図１７に示す基本的なマトリクス回路の例と全く同じである。
【００１２】
図１９は、本従来例の入力信号波形である。本従来例において、ｒ１に入力されるｙ１とｒ２に入力されるｙ２は、互いに極性が反転した関係の信号である。ｒ１に入力されるＹ１が正極性（＋Ｖ２）で、ｒ２に入力されるＹ２が負極性（−Ｖ２）である期間を期間ａ、Ｙ１が負極性（−Ｖ２）で、Ｙ２が正極性（＋Ｖ２）である期間を期間ｂとする。また、ｃ１〜ｃ４には、一列おきに極性が反転したＸ１〜Ｘ４が入力される。つまり、Ｘ１、Ｘ３は負極性（−Ｖ１）、Ｘ２、Ｘ４は正極性（＋Ｖ１）の信号である。
【００１３】
期間ａでは、Ｙ１は＋Ｖ２、ｃ１、ｃ３にそれぞれ入力されるＸ１、Ｘ３は−Ｖ１であるから、電極４には＋Ｖ２、電極５には−Ｖ１が印加され、ｄ１１、ｄ３１にはそれぞれ電位差Ｖ１＋Ｖ２が印加され電子放出を行う。一方、ｃ２、ｃ４にそれぞれ入力されるＸ２、Ｘ４は＋Ｖ１であるから、電極４には＋Ｖ２、電極５には＋Ｖ１が印加され、ｄ２１、ｄ４１にはそれぞれ電位差｜Ｖ１−Ｖ２｜が印加され電子放出は行われない。また、ｒ２に入力されるＹ２は−Ｖ２、ｃ２、ｃ４にそれぞれ入力されるＸ２、Ｘ４は＋Ｖ１であるので、電極４には−Ｖ２、電極５には＋Ｖ１が印加され、ｄ２２、ｄ４２にはそれぞれ電位差Ｖ１＋Ｖ２が印加され電子放出を行う。一方、ｃ１、ｃ３にそれぞれ入力されるＸ１、Ｘ３は−Ｖ１であるから、電極４には−Ｖ２、電極５には−Ｖ１が印加され、ｄ１２、ｄ３２にはそれぞれ電位差｜Ｖ１−Ｖ２｜が印加され電子放出は行われない。つまり、期間ａでは、ｄ１１、ｄ３１、ｄ２２、ｄ４２が電子放出を行い、ｄ２１、ｄ４１、ｄ１２、ｄ３２では電子放出は行われない。
【００１４】
同様に、期間ｂではＹ１が−Ｖ２、Ｙ２が＋Ｖ２となり、ｄ２１、ｄ４１、ｄ１２、ｄ３２では電子放出を行い、ｄ１１、ｄ３１、ｄ２２、ｄ４２では電子放出を行わない。
【００１５】
期間ａにおいて、ｒ１によって同時に駆動される電子放出素子は、ｄ１１、ｄ３１の２つである。図１７、図１８における駆動方法では４つの電子放出素子に同時に駆動されており、図１７、図１９における駆動方法では駆動される電子放出素子が１／２に減少している。ｒ２においても同様に、図１７、図１８における駆動方法では４つの電子放出素子に同時に駆動されていたが、図１７、図１９における駆動方法では、ｄ２２、ｄ４２の２つの電子放出素子を駆動し、１本の行方向配線において駆動される電子放出素子が１／２に減少している。
【００１６】
このように、図１７、図１９における駆動方法では、一本の行方向配線において駆動する電子放出素子が図１７、図１８における駆動方法の１／２に減少している。従って、一本の行方向配線に流れる電流量も１／２に減少できる。配線抵抗による電圧降下は流れる電流量に応じて発生するため、電流が小さくなれば電圧降下も小さくなり、電圧降下による輝度むらも小さく抑えられる。
【００１７】
図２０は、図１７、図１９の駆動方法により電子放出素子を駆動した際の電子軌道を示した、図１７における点線αの位置の断面図である。１０はフェースプレート、１１は蛍光体、１２は期間ａにおける電子軌道、１３は期間ｂにおける電子軌道である。なお、前出のものと同一のものは同一符号を付して説明を省略する。
【００１８】
期間ａにおいて、電極４に＋Ｖ２、電極５に−Ｖ１が印加されるため、ｄ１１、ｄ３１が電子放出を行い、電子軌道１２は図示のような軌道を描く。一方、ｄ２１、ｄ４１は電子放出を行わない。期間ｂにおいては、電極４に−Ｖ２、電極５に＋Ｖ１が印加されるため、ｄ２１、ｄ４１が電子放出を行い、電子軌道１３は図示のような軌道を描く。一方、ｄ１１、ｄ３１は電子放出を行わない。
【００１９】
放出電子はリアプレート１とフェースプレート１０の間に印加された加速電圧により加速され、電子軌道１２、１３を描いてフェースプレート１０に照射される。つまり、電子放出素子に印加される電界の向きによって、放出される電子の方向は決定される。フェースプレート１０には蛍光体１１が塗布され、蛍光体は電子照射により発光し画像を表示する。カラー表示装置の場合、ＲＧＢ３色の蛍光体が塗り分けられ、ＲＧＢ３色で１画素を形成する。図１７、図１９における駆動方法を行うと、図２０に示すように、電子放出素子ｄ１１とｄ３１にかかる電界の向き及び電子軌道、電子放出素子ｄ２１とｄ４１にかかる電界の向き及び電子軌道が互いに逆方向に向き、本来意図した位置に映像信号を表示できず画質を劣化させる。図２０において、電極上に記される符号はそれぞれの電極に印加される信号の極性を示している。
【００２０】
また、図１７、図１９における駆動方法では、一水平走査期間内に一行方向の電子放出素子を駆動することができず、一行ごとの画像表示が困難となる。
【００２１】
【発明が解決しようとする課題】
図１７、図２１に示す駆動方法によると、一水平走査期間内に一行方向の同一直線上にある画素を駆動できず、一行ごとの表示画像が乱れることがあった（課題１）。
【００２２】
また、印加電圧極性依存性を有さない電子放出素子において、図１７、図１９における駆動方法では、一水平走査期間内に例えば電子放出素子ｄ１１、ｄ３１とｄ２２、ｄ４２にかかる電界の向きが異なるために電子の放出方向が異なるので、発行点を特定するために、フェースプレート上の色画素を構成する蛍光体との位置合わせが難しく、本来意図した位置に画像を表示し難い（課題２）。
【００２３】
【課題を解決するための手段】
前記課題１を解決するための本発明による画像表示装置は、複数の行方向配線と複数の列方向配線とにより駆動される複数の画素と、を有する表示装置において、第１の行方向配線にて駆動される第１の画素群と、第２の行方向配線にて駆動される第２の画素群とが表示画面の同一直線上に配置され、前記第１及び第２の行方向配線に発光のために互いに異なる極性の走査選択信号が印加された時に、前記第１及び第２の画素群に属する表示用素子に同時に発光に必要な電圧が印加できるような電極のパターン及び／または配線のパターンを有していることを特徴とする。
【００２４】
また前記課題２を解決するための本発明による画像表示装置は、複数の行方向配線と複数の列方向配線とにより駆動される複数の画素と、を有する表示装置において、第１の行方向配線にて駆動される第１の画素群と、第２の行方向配線にて駆動される第２の画素群と、が行方向に配列され、前記第１及び第２の行方向配線に発光のために互いに異なる極性の走査選択信号が印加された時に、前記第１及び第２の画素群に属する表示用素子に印加される電界の向きが同一になるような電極のパターン及び／または配線のパターンを有していることを特徴とする。
【００２５】
そして、上記画像表示装置においては、前記第１の画素群に属する前記表示用素子は、前記第１の行方向配線に接続する第１の電極と、第１の列方向配線に接続する第２の電極と、を有し、前記第２の画素群に属する前記表示用素子は、第２の列方向配線に接続する第３の電極と、前記第２の行方向配線に接続する第４の電極と、を有し、前記第１の電極と前記第３の電極は、各々接続する前記表示用素子に対して同じ側に接続し、前記第２の電極と前記第４の電極は各々接続する前記表示用素子に対して同じ側に接続し、かつ、前記第１の電極又は前記第３の電極と反対側に接続することを特徴とすることが好ましい。
【００２６】
また、上記の画像表示装置において、好ましくは第１の画素列と第２の画素列が交互に配列されていることを特徴とする。
【００２７】
また、上記の画像表示装置において、好ましくは第１または第２の画素列が複数連続して第１または第２の画素列群を形成し、前記第１の画素列群と前記第２の画素列群が交互に配列されていることを特徴とする。
【００２８】
また、前記画素は、一本の列方向配線に接続される同一行方向に配列された２つの表示用素子により形成されることを特徴とする。
【００２９】
また、前記表示用素子が、表面伝導型電子放出素子、電界放出型電子放出素子のうちのいずれかであることを特徴とする。
【００３０】
また、前記電界放出型電子放出素子が、スピント型又は炭素繊維型電子放出素子であることを特徴とする。
【００３１】
本発明によれば、一本の行方向配線に流れる電流量を基本的な駆動方法に比べて低減し、かつ、一水平走査期間内に一行方向の電子放出素子を駆動させることにより行ごとの画像制御が可能となる。また、電子放出素子にかかる電界の向きを同一方向に揃えることにより本来意図した位置に画像を表示させることができる。前記課題を解決することにより、輝度むらが少なく、画質劣化もない画像表示装置を実現できる。
【００３２】
【発明の実施の形態】
図１は本発明の一実施形態により表示装置を示している。
【００３３】
２は行方向配線、３は列方向配線を示しており、それらの交点に、画素を構成する表示用素子６が配されている。
【００３４】
４ａ、４ｂ、５ａ、５ｂが対応する表示素子６と行又は列方向配線とを接続する電極となっている。
【００３５】
本発明に用いられる画素としては、例えば、表示用素子としての電子放出素子と蛍光体とを組み合わせたものが挙げられる。電子放出素子としては、前述したＳＣＥ型素子、スピント型ＦＥ素子、炭素繊維型ＦＥ素子が好ましく用いられる。
【００３６】
本発明に用いられる電極又は配線の材料としては、Ｐｔ、Ｎｉ、Ｐｄ、Ａｌ、Ｒｕ、Ａｇ、Ａｕ、Ｔｉ、Ｉｎ、Ｃｕ、Ｃｒ、Ｗ、Ｔａ、Ｍｏ等から選択される金属又は該金属を一成分とする合金のような導電体が用いられる。
【００３７】
電極又は配線の形成方法としては、蒸着、スパッタリング、ＣＵＤ、塗布法、印刷法等の成膜方法が挙げられる。
【００３８】
電極と配線とは同一工程によって形成されても、別工程によって形成されてもよく、便宜上、各素子間を接続するグローバルな導電体を配線、各素子と該配線とを接続するローカルな導電体を電極と呼ぶことにする。
【００３９】
本発明においては、電極のパターン又は配線のパターンのうち少なくともいずれか一方が、複数極の画素群に属する表示用素子に、同時発光をもたらすか、電界の向きを同一にするようなパターンであればよく、本発明は後述する各実施例に限定されるものではない。
【００４０】
本発明は、電子放出素子を用いた単純マトリクス方式のマルチ電子源において、なかでも多数個の素子を容易に形成できる表面伝導型電子放出素子を用いた単純マトリクス方式のマルチ電子源において優れた効果をもたらす。また、印加電圧極性依存性を有する電界放出型電子放出素子（スピント型もしくは炭素繊維型電子放出素子）を用いた単純マトリクス方式のマルチ電子源においては、電圧降下を低減させると同時に行方向ごとの画像表示を可能とする。
【００４１】
【実施例】
（第１の実施例）
図１に本実施例のマトリクス回路の一部を示す。図１において、ｒ１〜ｒ４は行方向配線、ｄ１１〜ｄ４３は電子放出素子である。ここで、電極４ａは請求項３に記載の第１の電極に相当し、電極４ｂは第３の電極に相当する。また、電極５ａは第２の電極に相当し、電極５ｂは第４の電極に相当する。なお、前出のものと同一のものは同一符号を付して説明を省略する。
【００４２】
本実施例では、電極のパターンは２種類あり、同一列方向配線３に接続する電子放出素子６における電極パターンは同じである。図１において、電極群１４に属する電極パターンをパターン１Ａ、電極群１５に属する電極パターンをパターン２Ａとすると、パターン１Ａとパターン２Ａは図１に示すように列ごとに交互に配列されている。
【００４３】
パターン１Ａをｄ１１における電極４ａ、５ａを例として説明する。ｄ１１に接続する電極４ａはｒ２に接続し、電極５ａはｃ１に接続する。同様に、ｄ１２に接続する電極４ａはｒ３に、電極５ａはｃ１に接続し、また、ｄ３１に接続する電極４ａはｒ２に、電極５ａはｃ３に接続する。つまり、パターン１ａに属する電子放出素子ｄｉｊの電極４ａは行方向配線ｒｊ＋１に、電極５ａは列方向配線ｃｉに接続している。ここで、パターン１Ａでは、ｉは奇数、ｊは任意の自然数である。
【００４４】
また、パターン２Ａをｄ２１における電極４ｂ、５ｂを例として説明すると、ｄ２１に接続する電極４ｂはｃ２に接続し、電極５ｂはｒ１に接続する。同様に、ｄ２２に接続する電極４ｂはｃ２に、電極５ｂはｒ２に接続し、また、ｄ４１に接続する電極４ｂはｃ４に、電極５ｂはｒ１に接続する。つまり、パターン２Ａに属する電子放出素子ｄｉｊの電極４ｂは列方向配線ｃｉに、電極５ｂは行方向配線ｒｊに接続する。ここで、パターン２Ａでは、ｉは偶数、ｊは任意の自然数である。
【００４５】
図２に本実施例のマトリクス回路を駆動する入力信号波形を示す。図２のｙ１〜ｙ４はｒ１〜ｒ４に入力する走査信号であり、走査信号選択期間１１におけるｙｊを走査選択信号Ｙｊとする。なお、前出のものと同一のものは同一符号を付して説明を省略する。本発明の入力信号波形を説明すると、１行方向配線に入力される走査選択信号は、第１の１水平走査期間と第２の１水平走査期間に入力される互いに異なる極性の信号で構成され、１行進むごとに１水平走査期間ずつ遅れて入力される。一方、従来例の入力信号波形においては、１行方向配線に入力される走査選択信号は、第１の１水平走査期間と第２の１水平走査期間で異なる極性の信号で構成され、第１の行方向配線に入力される第１の走査選択信号と第２の行方向配線に入力される第２の走査選択信号は互いに逆極性であり、第１の走査選択信号と第２の走査選択信号は同時に入力される。ｃ１、ｃ３にそれぞれ入力されるＸ１、Ｘ３は負極性（−Ｖ１）の信号であり、ｃ２、ｃ４に入力されるＸ２、Ｘ４は正極性（＋Ｖ１）の信号である。本実施例では、階調をパルス幅変調により表示することを想定しているが、本発明はこの方式にとらわれるものではなく、振幅変調やパルス幅変調と振幅変調の両方を用いた変調方式により表示しても構わない。
【００４６】
図２において、ｒ１に入力されるＹ１が負極性で、ｒ２に入力されるＹ２が正極性である期間を期間ａ、ｒ２に入力されるＹ２が負極性で、ｒ３に入力されるＹ３が正極性である期間を期間ｂ、ｒ３に入力されるＹ３が負極性で、ｒ４に入力されるＹ４が正極性である期間を期間ｃとする。
【００４７】
図１及び図２を用いて、本発明の表示装置の駆動について説明する。
【００４８】
期間ａにおいて、ｄ１１にはｒ２から電極４ａに入力されるＹ２（＋Ｖ２）とｃ１から電極５ａに入力されるＸ１（−Ｖ１）の電位差Ｖ１＋Ｖ２が印加され、ｄ２１にはｃ２から電極４ａに入力されるＸ２（＋Ｖ１）とｒ１から電極５ａに入力されるＹ１（−Ｖ２）の電位差Ｖ１＋Ｖ２が印加され、ｄ３１にはｒ２から電極４ａに入力されるＹ２（＋Ｖ２）とｃ３から電極５ａに入力されるＸ３（−Ｖ１）の電位差Ｖ１＋Ｖ２が印加され、ｄ４１にはｃ４から電極４ａに入力されるＸ４（＋Ｖ１）とｒ１から電極５ａに入力されるＹ１（−Ｖ２）の電位差Ｖ１＋Ｖ２が印加され、ｄ１１、ｄ２１、ｄ３１、ｄ４１ではそれぞれ負極性の信号が印加される電極５ａから正極性の信号が印加される電極４ａに向かって電子が移動し、電極４ａ，５ａ間または電極４ｂ、５ｂ間に存在する電子放出部７から電子放出を行う。
【００４９】
ｄ１２にはｒ３から電極４ａに入力されるｙ３（０）とｃ１から電極５ａに入力されるＸ１（−Ｖ１）の電位差Ｖ１が印加され、ｄ２２にはｃ２から電極４ｂに入力されるＸ２（＋Ｖ１）とｒ２から電極５ｂに入力されるＹ２（＋Ｖ２）の電位差｜Ｖ１−Ｖ２｜が印加され、ｄ３２にはｒ３から電極４ａに入力されるｙ３（０）とｃ３から電極５ａに入力されるＸ３（−Ｖ１）の電位差Ｖ１が印加され、ｄ４２にはｃ４から電極４ｂに入力されるＸ４（＋Ｖ１）とｒ２から電極５ｂに入力されるＹ２（＋Ｖ２）の電位差｜Ｖ１−Ｖ２｜が印加される。これらのｄ１２、ｄ２２、ｄ３２、ｄ４２に印加される電圧はいずれもしきい値Ｖｔｈを超えていないため、電子放出は行われない。
【００５０】
ｄ１３にはｒ４から電極４ａに入力されるｙ４（０）とｃ１から電極５ａに入力されるｘ１（−Ｖ１）の電位差Ｖ１が印加され、ｄ２３にはｃ２から電極４ｂに入力される（＋Ｖ１）とｒ３から電極５ｂに入力されるｙ３（０）の電位差Ｖ１が印加され、ｄ３３にはｒ４から電極４ａに入力されるｙ４（０）とｃ３から電極５ａに入力されるＸ３（−Ｖ１）の電位差Ｖ１が印加され、ｄ４３にはｃ４から電極４ｂに入力されるｘ４（＋Ｖ１）とｒ３から電極５ｂに入力されるｙ３（０）の電位差Ｖ１が印加される。これらのｄ１３、ｄ２３、ｄ３３、ｄ４３に印加される電圧はいずれもしきい値Ｖｔｈを超えないため、電子放出を行わない。
【００５１】
以上のように、期間ａではｄ１１、ｄ２１、ｄ３１、ｄ４１のみ、つまりこれらの電子放出素子が存在する電子放出素子行のみが電子放出を行い、当該行の映像信号を表示する。
【００５２】
同様に、期間ｂにおいてはｄ１２、ｄ２２、ｄ３２、ｄ４２が存在する電子放出素子行のみが電子放出を行い、他の電子放出素子行は電子放出を行わない。また、期間ｃにおいては、ｄ１３、ｄ２３、ｄ３３、ｄ４３が存在する電子放出素子行のみ電子放出を行い、他の電子放出素子行は電子放出を行わない。
【００５３】
以上のように、例えばｄ１１、ｄ２１、ｄ３１、ｄ４１が存在する電子放出素子行を表示する際には、２本の行方向配線ｒ１、ｒ２により電子放出素子が駆動される。従って、１本の行方向配線で１行の電子放出素子を駆動する場合と比べ、１本の行方向配線に流れる電流は１／２になる。配線抵抗による電圧降下は流れる電流によるため、電流が小さくなれば電圧降下も小さくなる。したがって、電圧降下による輝度むらも小さく抑えられる。
【００５４】
図３に本実施例により電子放出素子を駆動した際の電子軌道を示す。図３は図１の点線Ｃの位置での断面図である。なお、前出のものと同一のものは同一符号を付して説明を省略する。
【００５５】
前記のように、ｄ１１、ｄ２１、ｄ３１、ｄ４１は期間ａにおいて電子放出を行う。この際、電子は負極性の信号が印加された電極５から正極性の信号が印加された電極４に向かって移動し、電極４、５間に存在する電子放出部７から電子軌道８のように放出され、所望の位置に輝点を形成することができる。
【００５６】
このように、本実施例によれば、１本の行方向配線により電子放出素子を駆動する方式に比べて電圧降下による輝度むらを軽減し、さらに２本の行方向配線により１行の電子放出素子行を駆動することが可能となり、また更に電子放出素子にかかる電界の向きに依存する電子軌道の方向が同一となるため、画質の劣化もなく画像表示することが可能である。また、隣接する２本の行方向配線及び列方向配線に逆方向の電流が流れるため、誘導磁場ノイズを低減する効果も得られる。
【００５７】
（第２の実施例）
図４に本発明を実現する第２の実施例のマトリクス回路を示す。図４において、前出のものと同一のものは同一符号を付して説明を省略する。
【００５８】
本実施例におけるマトリクス回路は、第１の実施例のマトリクス回路に対して上下１８０度回転した鏡像関係にある。図４において、電極群１６に属する電極パターンをパターン１Ｂ、電極群１７に属する電極パターンをパターン２Ｂとすると、第１の実施例との相違点を以下に説明する。
【００５９】
パターン１Ｂをｄ１１で示される電子放出素子における電極４ａ、５ａを例として説明する。ｄ１１に接続する電極４ａはｒ１に接続し、電極５ａはｃ１に接続する。同様に、ｄ１２に接続する電極４ａはｒ２に、電極５ａはｃ１に接続し、また、ｄ３１に接続する電極４ａはｒ１に、電極５ａはｃ３に接続する。つまり、パターン１ｂに属する電子放出素子ｄｉｊの電極４ａは行方向配線ｒｊに、電極５ａは列方向配線ｃｉに接続する。ここで、パターン１Ｂにおけるｉは奇数、ｊは任意の自然数である。
【００６０】
また、パターン２Ｂをｄ２１における電極４ｂ、５ｂを例として説明すると、ｄ２１に接続する電極４ｂはｃ２に接続し、電極５ｂはｒ２に接続する。同様に、ｄ２２に接続する電極４ｂはｃ２に、電極５ｂはｒ３に接続し、また、ｄ４１に接続する電極４ｂはｃ４に、電極５ｂはｒ２に接続する。つまり、パターン２ｂに属する電子放出素子ｄｉｊの電極４ｂは列方向配線ｃｉに、電極５ｂは行方向配線ｒｊ＋１に接続する。ここで、パターン２Ｂにおけるｉは偶数、ｊは任意の自然数である。
【００６１】
図５に本実施例のマトリクス回路を駆動する際の入力信号波形を示す。なお、前出のものと同一のものは同一符号を付して説明を省略する。ここで第１の実施例との相違点は、走査選択信号の極性であり、第１の実施例に対して極性が反転している。本実施例において、ｒ１〜ｒ４に入力されるＹ１〜Ｙ４は走査信号選択期間内における第１の１水平走査期間では負極性（−Ｖ２）、第２の１水平走査期間では正極性（＋Ｖ２）となる信号である。
【００６２】
図５において、ｒ１に入力されるＹ１が正極性で、ｒ２に入力されるＹ２が負極性である期間を期間ａ、ｒ２に入力されるＹ２が正極性で、ｒ３に入力されるＹ３が負極性である期間を期間ｂ、ｒ３に入力されるＹ３が正極性で、ｒ４に入力されるＹ４が負極性である期間を期間ｃとする。
【００６３】
図４及び図５を用いて、本発明の表示装置の駆動について説明する。
【００６４】
期間ａにおいて、ｄ１１にはｒ１から電極４ａに入力されるＹ１（＋Ｖ２）とｃ１から電極５ａに入力されるＸ１（−Ｖ１）の電位差Ｖ１＋Ｖ２が印加され、ｄ２１にはｃ２から電極４ｂに入力されるＸ２（＋Ｖ１）とｒ２から電極５ｂに入力されるＹ２（−Ｖ２）の電位差Ｖ１＋Ｖ２が印加され、ｄ３１にｒ１から電極４ａに入力されるＹ１（＋Ｖ２）とｃ３から電極５ａに入力される信号Ｘ３（−Ｖ１）の電位差Ｖ１＋Ｖ２が印加され、ｄ４１にはｃ４から電極４ｂに入力される信号Ｘ４（＋Ｖ１）とｒ２から電極５ｂに入力されるＹ２（−Ｖ２）の電位差Ｖ１＋Ｖ２が印加され、ｄ１１、ｄ２１、ｄ３１、ｄ４１ではそれぞれ負極性の電極５ａ、５ｂから正極性の電極４ａ、４ｂに向かって電子が移動し、電極４ａ，５ａ間または電極４ｂ、５ｂ間に存在する電子放出部７から電子放出を行う。
【００６５】
ｄ１２にはｒ２から電極４ａに入力されるＹ２（−Ｖ２）とｃ１から電極５ａに入力されるＸ１（−Ｖ１）の電位差｜Ｖ１−Ｖ２｜が印加され、ｄ２２にはｃ２から電極４ｂに入力されるＸ２（＋Ｖ１）とｒ３から電極５ｂに入力されるｙ３（０）の電位差Ｖ１が印加され、ｄ３２にはｒ２から電極４ａに入力されるＹ２（−Ｖ２）とｃ３から電極５ａに入力されるＸ３（−Ｖ１）の電位差｜Ｖ１−Ｖ２｜が印加され、ｄ４２にはｃ４から電極４ｂに入力されるＸ４（＋Ｖ１）とｒ３から電極５ｂに入力されるｙ３（０）の電位差Ｖ１が印加される。これらのｄ１２、ｄ２２、ｄ３２、ｄ４２に印加される電圧はいずれもしきい値Ｖｔｈを超えないため、電子放出は行われない。
【００６６】
ｄ１３にはｒ３から電極４ａに入力されるｙ３（０）とｃ１から電極５ａに入力されるＸ１（−Ｖ１）の電位差Ｖ１が印加され、ｄ２３にはｃ２から電極４ｂに入力されるＸ２（＋Ｖ１）とｒ４から電極５ｂに入力されるｙ４（０）の電位差Ｖ１が印加され、ｄ３３にはｒ３から電極４ａに入力されるｙ３（０）とｃ３から電極５ａに入力されるＸ３（−Ｖ１）の電位差Ｖ１が印加され、ｄ４３にはｃ４から電極４ｂに入力されるＸ４（＋Ｖ１）とｒ４から電極５ｂに入力されるｙ４（０）の電位差Ｖ１が印加される。これらのｄ１３、ｄ２３、ｄ３３、ｄ４３に印加される電圧はいずれもしきい値Ｖｔｈを超えないため、電子放出を行わない。
【００６７】
以上のように、期間ａではｄ１１、ｄ２１、ｄ３１、ｄ４１のみ、つまりこれらの電子放出素子が存在する電子放出素子行のみが電子放出を行い、当該行の映像信号を表示する。
【００６８】
同様に、期間ｂにおいてはｄ１２、ｄ２２、ｄ３２、ｄ４２が存在する電子放出素子行のみが電子放出を行い、他の電子放出素子行は電子放出を行わない。また、期間ｃにおいては、ｄ１３、ｄ２３、ｄ３３、ｄ４３が存在する電子放出素子行のみ電子放出を行い、他の電子放出素子行は電子放出を行わない。
【００６９】
以上のように、第１の実施例と同様に、１本の行方向配線で１行の電子放出素子を駆動する場合と比べ、１本の行方向配線に流れる電流は１／２になる。配線抵抗による電圧降下は流れる電流によるため、電流が小さくなれば電圧降下も小さくなり、電圧降下による輝度むらも小さく抑えられる。
【００７０】
本実施例により駆動された電子放出素子により放出された放出電子の軌道は実施例１と同様であり、また本実施例により得られる効果も第１の実施例と同様である。
【００７１】
（第３の実施例）
本発明を実現する電子放出部は、図１、図４に示されるような、電子放出素子の電子放出部が行方向配線あるいは列方向配線に対して平行なものに限定されず、例えば図６に示される、電子放出部が行方向配線あるいは列方向配線に対して斜めであってもよい。以下に図６を用いて説明する。
【００７２】
図６に本発明を実現する第３の実施例のマトリクス回路を示す。なお、前出のものと同一のものは同一符号を付して説明を省略する。本実施例では、前記したように、電子放出部７が行方向配線２あるいは列方向配線３に対して斜めになるように電子放出素子６が配列される。
【００７３】
本実施例では、電極と配線の接続関係のパターンは２種類あり、第１の実施例における電極と配線の接続関係と同一である。
【００７４】
本実施例に、図２に示す駆動のための入力信号波形を用いることで、電子放出素子にかかる電位差、及び電界の向きは第１の実施例と同様となり、電子放出素子の駆動動作も第１の実施例と同様である。また、本実施例により得られる効果も第１の実施例により得られる効果と同様である。
【００７５】
（第４の実施例）
本発明を実現する配線のパターンは、直線的な配線に限定されず、直線以外の形状でもよい。図７に配線のパターンと電極のパターンによるマトリクス図を示す。図７において、前出のものと同一のものは同一符号を付して説明を省略する。
【００７６】
本実施例における配線パターンは、図７に示すような電極と配線の接続関係パターンになっており、電極と配線の接続関係は図１に示す第１の実施例と同様である。つまり、図７の１８で示されるパターン１Ｃに属する電子放出素子ｄｉｊの電極４ａは行方向配線ｒｊ＋１に、電極５ａは列方向配線ｃｉに接続する。ここで、パターン１Ｃにおいて、ｉは奇数、ｊは任意の自然数である。
【００７７】
また図７の１９で示されるパターン２Ｃに属する電子放出素子ｄｉｊの電極４ｂは列方向配線ｃｉに、電極５ｂは行方向配線ｒｊに接続する。ここで、パターン２Ｃにおいて、ｉは偶数、ｊは任意の自然数である。
【００７８】
本実施例に、図２に示す入力信号波形を用いることで、電子放出素子にかかる電位差及び電界の向きは第１の実施例と同様となり、電子放出素子の駆動動作も第１の実施例と同様となる。また、本実施例により得られる効果も第１の実施例により得られる効果と同様である。
【００７９】
（第５の実施例）
また、図８に配線パターンのみの変更による本発明の実施の例を示す。図８において、前出のものと同一のものは同一符号を付して説明を省略する。
【００８０】
本実施例において、電子放出素子に接続する電極のパターンは全て等しく、配線のパターンによって本発明を実施する。
【００８１】
本実施例において、電極群２０で示すパターン１Ｄを、ｄ１１を例として説明する。ｄ１１に接続する電極４ａはｃ２に接続し、電極５ａはｒ１に接続する。また、ｄ１２に接続する電極４ａはｃ２に接続し、電極５ａはｒ２に接続する。また、ｄ３１に接続する電極４ａはｃ４に接続し、電極５ａはｒ１に接続する。つまりパターン１Ｄに属する電子放出素子ｄｉｊに接続する電極４ａはｃｉ＋１に接続し、電極５ａはｒｊに接続する。ここで、パターン１ｄにおいて、ｉは奇数で、ｊは任意の自然数である。
【００８２】
また、本実施例において電極群２１で示すパターン２Ｄを、ｄ２１を例として説明する。ｄ２１に接続する電極４ｂはｒ２に接続し、電極５ｂはｃ１に接続する。また、ｄ２２に接続する電極４ｂはｒ３に接続し、電極５ｂはｃ１に接続する。また、ｄ４１に接続する電極４ｂはｒ２に接続し、電極５ｂはｃ３に接続する。つまり、パターン２Ｄに属する電子放出素子ｄｉｊに接続する電極４ｂは行方向配線ｒｊ＋１に接続し、電極５ｂは列方向配線ｃｉ−１に接続する。ここで、パターン２ｄにおいて、ｉは偶数、ｊは任意の自然数である。
【００８３】
本実施例に、図２に示す駆動のための入力信号波形を用いることで、電子放出素子にかかる電位差、及び電界の向きは第１の実施例と同様となり、電子放出素子の駆動動作も第１の実施例と同様である。また、本実施例により得られる効果も第１の実施例により得られる効果と同様である。
【００８４】
（第６の実施例）
本発明は、それぞれのパターンを１列ごとに交互に配列する方式に限られず、それぞれのパターンを複数列連続に配列させる方式でも可能である。図９にそれぞれのパターンを２列ずつ連続に配列させパターン列群を形成し、それぞれのパターン列群を交互に配列させるマトリクス図を示す。なお、前出のものと同一のものは同一符号を付して説明を省略する。
【００８５】
本実施例では、電極のパターンは第１の実施例で用いたものと同様の電極パターンが２種類あり、同一列方向配線３に接続する電子放出素子６における電極パターンは同じである。図９において、パターン１Ａとパターン２Ａは図９に示すように２列ごとに交互に配列されている。パターン１Ａが２列並んでいる２２をパターン１Ａ群、パターン２Ａが２列並んでいる２３をパターン２Ａ群とする。つまり、本実施例のマトリクス回路は第２列と第３列の列方向配線及びそれに接続される電子放出素子列が入れ替わったものとなっている。
【００８６】
図１０に本実施例のマトリクス回路を駆動する際の入力信号波形を示す。なお、前出のものと同一のものは同一符号を付して説明を省略する。図１０のｘ１〜ｘ４はｃ１１〜ｃ２２に入力する映像信号で、ｃ１１、ｃ１２にそれぞれ入力されるＸ１、Ｘ２は負極性（−Ｖ１）の信号であり、ｃ２１、ｃ２２に入力されるＸ３、Ｘ４は正極性（＋Ｖ１）の信号である。行方向配線に入力されるＹ１〜Ｙ４は第１の実施例における走査選択信号と同じである。つまり、第１の実施例に対して、Ｘ２とＸ３が列方向配線ｃ２、ｃ３の入れ替わりに対応して入れ替わったものとなっており、期間ａ、期間ｂ、期間ｃもそれぞれ第１の実施例に示されるものと同一である。
【００８７】
本実施例において、電子放出素子にかかる電位差、及び電界の向きは第１の実施例と同様となり、電子放出素子の駆動動作も第１の実施例と同様である。また、本実施例により得られる効果も第１の実施例により得られる効果と同様である。
【００８８】
（第７の実施例）
本発明は、前記の第１〜第６の実施例に示されるような１つの画素を１つの電子放出素子で構成する形態に限定されず、１つの画素を２つの電子放出素子で構成しても構わない。図１１に第７の実施例のマトリクス図を示す。
【００８９】
図１１に本実施例のマトリクス回路の一部を示す。図１１において、前出のものと同一のものは同一符号を付して説明を省略する。本実施例において、１つの画素は同一行方向に配列され、かつ、同一列方向配線に接続する２つの電子放出素子により構成される。
【００９０】
本実施例では、電極のパターンは４種類あり、同一列方向に配列する電子放出素子６における電極パターンは同じである。図１１において、電極群２４に属する電極パターンをパターン１Ｅ、電極群２５に属する電極パターンをパターン１Ｅ’、電極群２６に属する電極パターンをパターン２Ｅ、電極群２７に属する電極パターンをパターン２Ｅ’とすると、パターン１Ｅとパターン１Ｅ’が接続する列方向配線ｃ１と、パターン２Ｅとパターン２Ｅ’が接続する列方向配線ｃ２は、図１１に示すように列ごとに交互に配列されている。
【００９１】
パターン１ｅ及びパターン１Ｅ’をｄ１１、ｄ１２、ｄ２１における電極４ａ、４ａ’、５ａ、５ａ’を例として説明する。ｄ１１に接続する電極４ａはｃ１に接続し、電極５ａはｒ２に接続する。同様に、ｄ１２に接続する電極４ａはｃ１に、電極５ａはｒ３に接続し、また、ｄ２１に接続する電極４ａ’はｃ１に、電極５ａ’はｒ２に接続する。パターン１Ｅとパターン１Ｅ’は鏡像関係になっている。
【００９２】
パターン２Ｅ及びパターン２Ｅ’をｄ３１、ｄ３２、ｄ４１における電極４ｂ、４ｂ’、５ｂ、５ｂ’を例として説明する。ｄ３１に接続する電極４ｂはｒ１に接続し、電極５ｂはｃ２に接続する。同様に、ｄ３２に接続する電極４ｂはｒ２に、電極５ｂはｃ２に接続し、また、ｄ４１に接続する電極４ｂ’はｒ１に接続し、電極５ｂ’はｃ２に接続する。パターン２Ｅとパターン２Ｅ’も鏡像関係になっている。
【００９３】
本実施例に用いられる入力信号は、第１の実施例で用いた図２で示されるものである。第１の実施例と同様に、期間ａ、期間ｂ、期間ｃが定義される。
【００９４】
図２及び図１１を用いて、本発明の表示装置の駆動について説明する。
【００９５】
期間ａにおいて、ｄ１１にはｃ１から電極４ａに入力されるＸ１（−Ｖ１）とｒ２から電極５ａに入力されるＹ２（＋Ｖ２）の電位差Ｖ１＋Ｖ２が印加され、ｄ２１にはｒ２から電極５ａ’に入力されるＹ２（＋Ｖ２）とｃ１から電極４ａ’に入力されるＸ１（−Ｖ１）の電位差Ｖ１＋Ｖ２が印加され、ｄ３１にｒ１から電極４ｂに入力されるＹ１（−Ｖ２）とｃ２から電極５ｂに入力されるＸ２（＋Ｖ１）の電位差Ｖ１＋Ｖ２が印加され、ｄ４１にはｃ２から電極５ｂ’に入力されるＸ２（＋Ｖ１）とｒ１から電極４ｂ’に入力されるＹ１（−Ｖ２）の電位差Ｖ１＋Ｖ２が印加され、ｄ１１、ｄ２１、ｄ３１、ｄ４１ではそれぞれ負極性の電極５から正極性の電極４に向かって電子が移動し、電極４，５間に存在する電子放出部７から電子放出を行う。
【００９６】
ｄ１２にはｃ１から電極４ａに入力されるＸ１（−Ｖ１）とｒ３から電極５ａに入力されるｙ３（０）の電位差Ｖ１が印加され、ｄ２２にはｒ３から電極５ａ’に入力されるｙ３（０）とｃ１から電極４ａ’に入力されるＸ１（−Ｖ１）の電位差Ｖ１が印加され、ｄ３２にはｒ２から電極４ｂに入力されるＹ２（＋Ｖ２）とｃ２から電極５ｂに入力されるＸ２（＋Ｖ１）の電位差｜Ｖ１−Ｖ２｜が印加され、ｄ４２にはｃ２から電極５ｂ’に入力されるＸ２（＋Ｖ１）とｒ２から電極４ｂ’に入力されるＹ２（＋Ｖ２）の電位差｜Ｖ１−Ｖ２｜が印加される。これらｄ１２、ｄ２２、ｄ３２、ｄ４２に印加される電圧はいずれもしきい値Ｖｔｈを超えていないため、電子放出は行われない。
【００９７】
ｄ１３にはｃ１から電極４ａに入力されるＸ１（−Ｖ１）とｒ４から電極５ａに入力されるｙ４（０）の電位差Ｖ１が印加され、ｄ２３にはｒ３から電極５ａ’に入力されるｙ４（０）とｃ１から電極４ａ’に入力されるＸ１（−Ｖ１）の電位差Ｖ１が印加され、ｄ３３にはｒ３から電極４ｂに入力されるｙ３（０）とｃ２から電極５ｂに入力されるＸ２（＋Ｖ１）の電位差Ｖ１が印加され、ｄ４３にはｃ２から電極５ｂ’に入力されるＸ２（＋Ｖ１）とｒ３から電極４ｂ’に入力されるｙ３（０）の電位差Ｖ１が印加される。これらｄ１２、ｄ２２、ｄ３２、ｄ４２に印加される電圧はいずれもしきい値Ｖｔｈを超えていないため、電子放出は行われない。
【００９８】
同様に、期間ｂにおいてはｄ１２、ｄ２２、ｄ３２、ｄ４２が存在する電子放出素子行のみが電子放出を行い、他の電子放出素子行は電子放出を行わない。また、期間ｃにおいては、ｄ１３、ｄ２３、ｄ３３、ｄ４３が存在する電子放出素子行のみ電子放出を行い、他の電子放出素子行は電子放出を行わない。
【００９９】
以上のように、前出の実施例と同様に、１本の行方向配線で１行の電子放出素子を駆動する場合と比べ、電圧降下は小さくなり、電圧降下による輝度むらも小さく抑えることができる。ただし、本実施例ではパターン１Ｅとパターン１Ｅ’にかかる電界の向きは逆方向であるため、電子の放出される向きも逆になるが、図１２に示すように、それを利用して放出された電子が同じ位置に照射されるように配列することによって、同一の画素に従来の２倍の電子が照射され、輝度も従来の２倍となる。このことは、パターン２Ｅとパターン２Ｅ’においても同様である。なお、図１２において、前出のものと同一のものは同一符号を付して説明を省略する。
【０１００】
このように、本実施例によれば、１本の行方向配線により電子放出素子を駆動する方式に比べて電圧効果による輝度むらを軽減し、さらに２本の行方向配線により１行の電子放出素子行を駆動することが可能となり、また更に電子放出素子にかかる電界の向きに依存する電子軌道の方向が画素において同一となるため、画質の劣化もなく画像表示することが可能である。また、隣接する２本の行方向配線及び列方向配線に逆方向の電流が流れるため、誘導磁場ノイズを低減する効果も得られる。また、１つの画素を同時に駆動する２つの電子放出素子により構成することによって、１つの電子放出素子からなる画素に比べて輝度が高くなる。
【０１０１】
（第８の実施例）
本発明において、電子放出素子は印加電圧極性依存性を有さない表面伝導型電子放出素子（ＳＣＥ）に限られず、印加電圧極依存性性を有する電界放出型電子放出素子（スピント型素子もしくはＣＮＴ及びＧＮＦ）を用いても構わない。図１３に電子放出素子としてＧＮＦを用いたマトリクス図を示す。
【０１０２】
図１３において、前出のものと同一のものは同一符号を付して説明を省略する。２８ａ、２８ｂはカソード電極、２９ａ、２９ｂはゲート電極、３０は絶縁膜、３１及びｇ１１〜ｇ４３はＧＮＦである。行方向配線ｒ１〜ｒ４と、列方向配線ｃ１〜ｃ４の交点部分にカソード電極２８ａまたは２８ｂとゲート電極２９ａまたは２９ｂを介してＧＮＦ３１が接続されている。また、カソード電極２８ａまたは２８ｂとゲート電極２９ａまたは２９ｂとは絶縁層３０により絶縁されている。ここで、カソード電極２８ａは請求項３に記載の第１の電極に相当し、カソード電極２８ｂは第３の電極に相当する。また、ゲート電極２９ａは第２の電極に相当し、ゲート電極２９ｂは第４の電極に相当する。
【０１０３】
本実施例では、電極のパターンは２種類あり、同一列方向配線３に接続するＧＮＦ１７における電極パターンは同じである。図１３において、電極群３２に属する電極パターンをパターン１Ｇ、電極群３３に属する電極パターンをパターン２Ｇとすると、パターン１Ｇとパターン２Ｇは図１３に示すように列ごとに交互に配列されている。
【０１０４】
パターン１Ｇをｇ１１におけるカソード電極２８ａ、ゲート電極２９ａを例として説明する。ｇ１１に接続するカソード電極２８ａはｒ２に接続し、ゲート電極２９ａはｃ１に接続する。同様に、ｇ１２に接続するカソード電極２８ａはｒ３に、ゲート電極２９ａはｃ１に接続し、また、ｇ３１に接続するカソード電極２８ａはｒ２に、ゲート電極２９ａはｃ３に接続する。つまり、パターン１Ｇに属するＧＮＦｇｉｊのカソード電極２８ａは行方向配線ｒｊ＋１に、ゲート電極２９ａは列方向配線ｃｉに接続する。ここで、パターン１ｇにおいて、ｉは奇数、ｊは任意の自然数である。
【０１０５】
パターン２ＧをＧＮＦｇ２１におけるカソード電極２８ｂ、ゲート電極２９ｂを例として説明すると、ｇ２１に接続しているカソード電極２８ｂはｃ２に接続し、ゲート電極２９ｂはｒ１に接続する。同様に、ｇ２２に接続するカソード電極２８ｂはｃ２に、ゲート電極２９ｂはｒ２に接続し、また、ｇ４１に接続するカソード電極２８ｂはｃ４に、ゲート電極２９ｂはｒ１に接続する。つまり、パターン２Ｇに属するＧＮＦｇｉｊのカソード電極２８ｂは列方向配線ｃｉに、ゲート電極２９ｂは行方向配線ｒｊに接続する。ここで、パターン２Ｇにおいて、ｉは偶数、ｊは任意の自然数である。
【０１０６】
本実施例は図２で示される第１の実施例に用いられた入力信号を用いて駆動を行う。期間ａ、期間ｂ、期間ｃも同様に定義される。
【０１０７】
図２と図１３を用いて、本発明の表示装置の駆動について説明する。
【０１０８】
期間ａにおいて、ｇ１１のカソード電極２８ａにはｒ２に入力されるＹ２（＋Ｖ２）が印加され、ゲート電極２９ａにはｃ１に入力されるＸ１（‐Ｖ１）が印加される。ｇ２１のカソード電極２８ｂにはｃ２に入力されるＸ２（＋Ｖ１）が印加され、ゲート電極２９ｂにはｒ１に入力されるＹ１（−Ｖ２）が印加される。ｇ３１のカソード電極２８ａにはｒ２に入力されるＹ２（＋Ｖ２）が印加され、ゲート電極２９ａにはｃ３に入力されるＸ３（‐Ｖ１）が印加される。ｇ４１のカソード電極２８ｂにはｃ４に入力されるＸ４（＋Ｖ１）が印加され、ゲート電極２９ｂにはｒ１に入力されるＹ１（−Ｖ２）が印加される。ｇ１１〜ｇ４１のいずれにもカソード電極に正極性、ゲート電極に負極性の信号が印加されＧＮＦには電位差Ｖ１＋Ｖ２が印加されるためｇ１１〜ｇ４１はいずれも電子放出を行う。
【０１０９】
ｇ１２のカソード電極２８ａにはｒ３に入力されるｙ３（０）が印加され、ゲート電極２９ａにはｃ１に入力されるＸ１（‐Ｖ１）が印加され、ｇ１２での電位差はＶ１であるために電子放出は行われない。ｇ２２のカソード電極２８ｂにはｃ２に入力されるＸ２（＋Ｖ１）が印加され、ゲート電極２９ｂにはｒ２に入力されるＹ２（＋Ｖ２）が印加され、ｇ２２に印加される電位差は｜Ｖ１−Ｖ２｜となるため電子放出は行われない。ｇ３２のカソード電極２８ａにはｒ３に入力されるｙ３（０）が印加され、ゲート電極２９ａにはｃ３に入力されるＸ３（‐Ｖ１）が印加され、ｇ３２での電位差はＶ１であるために電子放出は行われない。ｇ４２のカソード電極２８ｂにはｃ４に入力されるＸ４（＋Ｖ１）が印加され、ゲート電極２９ｂにｒ２に入力されるＹ２（＋Ｖ２）が印加され、ｇ４２に印加される電位差は｜Ｖ１−Ｖ２｜となるため電子放出は行われない。
【０１１０】
ｇ１３のカソード電極２８ａにはｒ４に入力されるｙ４（０）が印加され、ゲート電極２９ａにはｃ１に入力されるＸ１（‐Ｖ１）が印加され、ｇ１３での電位差はＶ１であるために電子放出は行われない。ｇ２３のカソード電極２８ｂにはｃ２に入力されるＸ２（＋Ｖ１）が印加され、ゲート電極２９ｂにはｒ３に入力されるｙ３（０）が印加され、ｇ２３に印加される電位差はＶ１となるため電子放出は行われない。ｇ３３のカソード電極２８ａにはｒ４に入力されるｙ４（０）が印加され、ゲート電極２９ａにはｃ３に入力されるＸ３（‐Ｖ１）が印加され、ｇ３３での電位差はＶ１であるために電子放出は行われない。ｇ４３のカソード電極２８ｂにはｃ４に入力されるＸ４（＋Ｖ１）が印加され、ゲート電極２９ｂにはｒ３に入力されるｙ３（０）が印加され、ｇ４３に印加される電位差はＶ１となるため電子放出は行われない。
【０１１１】
以上のように、期間ａではｇ１１、ｇ２１、ｇ３１、ｇ４１のみ、つまりこれらのＧＮＦが存在するＧＮＦ行のみが電子放出を行い、当該行の映像信号を表示する。
【０１１２】
同様に、期間ｂにおいてはｇ１２、ｇ２２、ｇ３２、ｇ４２が存在するＧＮＦ行のみが電子放出を行い、他のＧＮＦ行は電子放出を行わない。また、期間ｃにおいては、ｇ１３、ｇ２３、ｇ３３、ｇ４３が存在するＧＮＦ行のみ電子放出を行い、他のＧＮＦ行は電子放出を行わない。
【０１１３】
以上のように、例えばｇ１１、ｇ２１、ｇ３１、ｇ４１が存在するＧＮＦ行を表示する際には、２本の行方向配線ｒ１、ｒ２により電子放出素子が駆動される。
【０１１４】
図１４に本実施例によりＧＮＦを駆動した際の電子軌道を示す。図１４は図１３の点線Ｇの位置での断面図である。図１４において、前出のものと同一のものは同一符号を付して説明を省略する。電子は電子軌道８のように放出され、所望の位置に輝点を形成することができる。
【０１１５】
このように、本実施例によれば、１本の行方向配線によりＧＮＦを駆動する方式に比べて電圧効果による輝度むらを軽減し、さらに２本の行方向配線により１行のＧＮＦを駆動することが可能となるため、画質の劣化のない画像表示が可能となる。また、隣接する２本の行方向配線及び列方向配線に逆方向の電流が流れるため、誘導磁場ノイズを低減する効果も得られる。
【０１１６】
（第９の実施例）
図１５に電子放出素子としてスピント型のＦＥ型素子を用いたマトリクス図を示す。図１５において、前出のものと同一のものは同一符号を付して説明を省略する。３４及びｆ１１〜ｆ４３はＦＥ型素子である。
【０１１７】
本実施例では、電極のパターンは２種類あり、同一列方向配線３に接続するＦＥ型素子３４における電極パターンは同じである。図１５において、電極群３５に属する電極パターンをパターン１Ｆ、電極群３６に属する電極パターンをパターン２Ｆとすると、パターン１Ｆとパターン２Ｆは図１５に示すように列ごとに交互に配列されている。
【０１１８】
パターン１Ｆをｆ１１におけるカソード電極２８ａ、ゲート電極２９ａを例として説明する。ｆ１１に接続しているカソード電極２８ａはｃ１に接続し、ゲート電極２９ａはｒ２に接続する。同様に、ｆ１２に接続するカソード電極２８ａはｃ１に、ゲート電極２９ａはｒ３に接続し、また、ｆ３１に接続するカソード電極２８ａはｃ３に、ゲート電極２９ａはｒ２に接続する。つまり、パターン１Ｆに属するＦＥ型素子ｆｉｊのカソード電極２８ａは列方向配線ｃｉに、ゲート電極２９ａは行方向配線ｒｊ＋１に接続する。ここで、パターン１Ｆにおいて、ｉは奇数、ｊは任意の自然数である。
【０１１９】
パターン２Ｆをｆ２１におけるカソード電極２８ｂ、ゲート電極２９ｂを例として説明する。ｆ２１に接続するカソード電極２８ｂはｒ１に接続し、ゲート電極２９ｂはｃ２に接続する。同様に、ｆ２２に接続しているカソード電極２８ｂはｒ２に、ゲート電極２９ｂはｃ２に接続し、また、ｆ４２に接続するカソード電極２８ｂはｒ１に、ゲート電極２９ｂはｃ４に接続する。つまり、パターン２Ｆに属するＦＥ型素子ｆｉｊのカソード電極２８ｂは行方向配線ｒｊに、ゲート電極２９ｂは列方向配線ｃｉに接続する。ここで、パターン２Ｆにおいて、ｉは偶数、ｊは任意の自然数である。
【０１２０】
本実施例は図２で示される第１の実施例に用いられた入力信号を用いて駆動を行う。期間ａ、期間ｂ、期間ｃも同様に定義される。
【０１２１】
図２と図１５を用いて、本発明の表示装置の駆動について説明する。
【０１２２】
期間ａにおいて、ｆ１１のカソード電極２８ａにはｃ１に入力されるＸ１（−Ｖ１）が印加され、ゲート電極２９ａにはｒ２に入力されるＹ２（＋Ｖ２）が印加される。ｆ２１のカソード電極２８ｂにはｒ１に入力されるＹ１（−Ｖ２）が印加され、ゲート電極２８ｂにはｃ２に入力されるＸ２（＋Ｖ１）が印加される。ｆ３１のカソード電極２８ａにはｃ３に入力されるＸ３（−Ｖ１）が印加され、ゲート電極２９ａにはｒ２に入力されるＹ２（＋Ｖ２）が印加される。ｆ４１のカソード電極２８ｂにはｒ１に入力されるＹ１（−Ｖ２）が印加され、ゲート電極２８ｂにはｃ４に入力されるＸ４（＋Ｖ１）が印加される。ｆ１１〜ｆ４１のいずれにもカソード電極に負極性、ゲート電極に正極性の信号が印加されＦＥには電位差Ｖ１＋Ｖ２が印加されるためｆ１１〜ｆ４１はいずれも電子放出を行う。
【０１２３】
ｆ１２のカソード電極２８ａにはｃ１に入力されるＸ１（−Ｖ１）が印加され、ゲート電極２８ａにはｒ３に入力されるｙ３（０）が印加され、ｆ１２には電位差Ｖ１が印加されるため電子放出は行われない。ｆ２２のカソード電極２８ｂにはｒ２に入力されるＹ２（＋Ｖ２）が印加され、ゲート電極２９ｂにはｃ２に入力されるＸ２（＋Ｖ１）が印加され、ｆ２２には電位差｜Ｖ１−Ｖ２｜が印加されるため電子放出は行われない。ｆ３２のカソード電極２８ａにはｃ３に入力されるＸ３（−Ｖ１）が印加され、ゲート電極２９ａにはｒ３に入力されるｙ３（０）が印加され、ｆ３２には電位差Ｖ１が印加されるため電子放出は行われない。ｆ４２のカソード電極２８ｂにはｒ２に入力されるＹ２（＋Ｖ２）が印加され、ゲート電極２９ｂにはｃ４に入力されるＸ４（＋Ｖ１）が印加され、ｆ４２には電位差｜Ｖ１−Ｖ２｜が印加されるため電子放出は行われない。
【０１２４】
ｆ１３のカソード電極２８ａにはｃ１に入力されるＸ１（−Ｖ１）が印加され、ゲート電極２９ａにはｒ４に入力されるｙ４（０）が印加され、ｆ１３には電位差Ｖ１が印加されるため電子放出は行われない。ｆ２３のカソード電極２８ｂにはｒ３に入力されるｙ３（０）が印加され、ゲート電極２９ｂにはｃ２に入力されるＸ２（＋Ｖ１）が印加され、ｆ２２には電位差Ｖ１が印加されるため電子放出は行われない。ｆ３３のカソード電極２８ａにはｃ３に入力されるＸ３（−Ｖ１）が印加され、ゲート電極２９ａにはｙ４に入力されるｙ４（０）が印加され、ｆ３３には電位差Ｖ１が印加されるため電子放出は行われない。ｆ４３のカソード電極２８ｂにｒ３に入力されるｙ３（０）が印加され、ゲート電極２９ｂにはｃ４に入力されるＸ４（＋Ｖ１）が印加され、ｆ４２には電位差Ｖ１が印加されるため電子放出は行われない。
【０１２５】
以上のように、期間ａではｆ１１、ｆ２１、ｆ３１、ｆ４１のみ、つまりこれらのＦＥ型素子が存在するＦＥ型素子行のみが電子放出を行い、当該行の映像信号を表示する。
【０１２６】
同様に、期間ｂにおいてはｆ１２、ｆ２２、ｆ３２、ｆ４２が存在するＦＥ型素子行のみが電子放出を行い、他のＦＥ型素子行は電子放出を行わない。また、期間ｃにおいては、ｆ１３、ｆ２３、ｆ３３、ｆ４３が存在するＦＥ型素子行のみ電子放出を行い、他のＦＥ型素子行は電子放出を行わない。
【０１２７】
以上のように、例えばｆ１１、ｆ２１、ｆ３１、ｆ４１が存在するＦＥ型素子行を表示する際には、２本の行方向配線ｒ１、ｒ２によりＦＥ型素子が駆動される。
【０１２８】
図１６に本実施例によりＦＥ型素子を駆動した際の電子軌道を示す。図１６は図１５の点線Ｆの位置での断面図である。図１６において、前出のものと同一のものは同一符号を付して説明を省略する。電子は電子軌道８のように放出される。
【０１２９】
このように、本実施例によれば、１本の行方向配線によりＦＥ型素子を駆動する方式に比べて電圧効果による輝度むらを軽減し、さらに２本の行方向配線により１行のＦＥ型素子を駆動することが可能となるため、画質の劣化もなく画像表示することが可能である。また、隣接する２本の行方向配線及び列方向配線に逆方向の電流が流れるため、誘導磁場ノイズを低減する効果も得られる。
【０１３０】
【発明の効果】
以上説明したように、本発明によれば、表示素子をマトリクス駆動により駆動する際に、各駆動期間内における表示素子の駆動を複数の行方向配線に分担させるため電圧降下を低減できる。そして、同一行上の表示素子を同時に発光させることができ、画質の劣化を防止できる。又、同時に発光する複数の画素群に属する表示用素子に印加される電光の向きが同一となるので、発光点位置の設計が容易になる。さらに隣接する行方向配線及び列方向配線に逆方向の電流が流れるため、誘導磁場ノイズを低減する効果もある。
【図面の簡単な説明】
【図１】第１の実施例におけるマトリクス図である。
【図２】第１の実施例におけるタイムチャートである。
【図３】第１の実施例における断面図である。
【図４】第２の実施例におけるマトリクス図である。
【図５】第２の実施例におけるタイムチャートである。
【図６】第３の実施例におけるマトリクス図である。
【図７】第４の実施例におけるマトリクス図である。
【図８】第５の実施例におけるマトリクス図である。
【図９】第６の実施例におけるマトリクス図である。
【図１０】第６の実施例におけるタイムチャートである。
【図１１】第７の実施例におけるマトリクス図である。
【図１２】第７の実施例における断面図である。
【図１３】第８の実施例におけるマトリクス図である。
【図１４】第８の実施例における断面図である。
【図１５】第９の実施例におけるマトリクス図である。
【図１６】第９の実施例のおける断面図である。
【図１７】基本的な例及び従来例におけるマトリクス図である。
【図１８】基本的なタイムチャートである。
【図１９】従来例におけるタイムチャートである。
【図２０】従来例における断面図である。
【符号の説明】
１　リアプレート
２　行方向配線
３　列方向配線
４、４ａ、４ａ’、４ｂ、４ｂ’、５、５ａ、５ａ’、５ｂ、５ｂ’　電極
６　電子放出素子
７　電子放出部
８　映像信号選択期間
９　走査信号選択期間
１０　フェースプレート
１１　蛍光体
１２、１３　電子軌道
１４　パターン１Ａ
１５　パターン２Ａ
１６　パターン１Ｂ
１７　パターン２Ｂ
１８　パターン１Ｃ
１９　パターン２Ｃ
２０　パターン１Ｄ
２１　パターン２Ｄ
２２　パターン１Ａ群
２３　パターン２Ａ群
２４　パターン１Ｅ
２５　パターン１Ｅ’
２６　パターン２Ｅ
２７　パターン２Ｅ’
２８ａ、２８ｂ　カソード電極
２９ａ、２９ｂ　ゲート電極
３０　絶縁膜
３１　ＧＮＦ
３２　パターン１Ｇ
３３　パターン２Ｇ
３４　ＦＥ型素子
３５　パターン１Ｆ
３６　パターン２Ｆ
ｄ１１〜ｄ４３　電子放出素子（ＳＣＥ型素子）
ｆ１１〜ｆ４３　ＦＥ型素子
ｇ１１〜ｇ４３　ＧＮＦ
ｒ１〜ｒ４　行方向配線
ｃ１〜ｃ４、ｃ１１〜ｃ２２　列方向配線
ｘ１〜ｘ４　列方向配線に入力される映像信号
Ｘ１〜Ｘ４　映像選択信号
ｙ１〜ｙ４　行方向配線に入力される走査信号
Ｙ１〜Ｙ４　走査選択信号
【図１】
2004045539.tif 000003
【図２】
2004045539.tif 000004
【図３】
2004045539.tif 000005
【図４】
2004045539.tif 000006
【図５】
2004045539.tif 000007
【図６】
2004045539.tif 000008
【図７】
2004045539.tif 000009
【図８】
2004045539.tif 000010
【図９】
2004045539.tif 000011
【図１０】
2004045539.tif 000012
【図１１】
2004045539.tif 000013
【図１２】
2004045539.tif 000014
【図１３】
2004045539.tif 000015
【図１４】
2004045539.tif 000016
【図１５】
2004045539.tif 000017
【図１６】
2004045539.tif 000018
【図１７】
2004045539.tif 000019
【図１８】
2004045539.tif 000020
【図１９】
2004045539.tif 000021
【図２０】
2004045539.tif 000022